(57)【要約】  パッケージング・バッグ１を、例えば生産設備から運搬して、さらに、例えば充填のために処理するための方法及び装置であって、パッケージング・バッグ１が少なくとも１つの可撓性ストリップ１３、１４に結合される方法及び装置。このために、パッケージング・バッグ１がローディング装置に次々と供給され、そこで、それらの溶着式クロージャ４によって支持案内手段９上に支持され、これらの支持案内手段９；１０に沿って動かされる。支持案内手段上で、溶着式クロージャは、例えば溶着によってストリップ１３、１４に結合される。
2017519696.tif 000002
【特許請求の範囲】
【請求項１】
注ぎ開口（６）を備えた溶着式クロージャ（４）を有する、液体又はペースト状製品用のパッケージング・バッグ（１）を運搬するための方法であって、いくつかのパッケージング・バッグ（１）が、それらの溶着式クロージャ（４）によって少なくとも１つの可撓性ストリップ（１２；１３、１４）に結合されて運搬ユニットを形成する方法において、
前記パッケージング・バッグ（１）がローディング装置に供給され、そこで、前記溶着式クロージャ（４）によって支持案内手段（９；１０）上に支持され、且つ前記支持案内手段（９；１０）に沿って動かされること、及び
少なくとも１つのストリップ（１２；１３、１４）が前記支持案内手段（９；１０）に沿って案内され、且つ前記溶着式クロージャ（４）に結合されること
を特徴とする方法。
【請求項２】
前記注ぎ開口（６）が自由にアクセス可能である様式で、前記溶着式クロージャ（４）が前記少なくとも１つのストリップ（１２；１３、１４）に結合されること、及び
前記注ぎ開口（６）と、前記注ぎ開口（６）の反対側の前記パッケージング・バッグ（１）の部分とが、前記少なくとも１つのストリップ（１２；１３、１４）の平面に関して反対側に配置されること
を特徴とする、請求項１に記載の方法。
【請求項３】
前記溶着式クロージャ（４）は、その注ぎ開口（６）に隣接する一部分が前記少なくとも１つのストリップ（１２；１３、１４）を貫通するように押し込まれることにより、摩擦式又は積極的な態様で前記少なくとも１つのストリップ（１２；１３、１４）に結合されることを特徴とする、請求項１又は２に記載の方法。
【請求項４】
前記溶着式クロージャ（４）は、その注ぎ開口（６）に隣接する一部分が前記少なくとも１つのストリップ（１２；１３、１４）に溶着又は接着されることにより、前記少なくとも１つのストリップ（１２；１３、１４）に材料的に結合されることを特徴とする、請求項１から２までの一項に記載の装置。
【請求項５】
前記少なくとも１つのストリップ（１２；１３、１４）が少なくとも１層のプラスチック・フィルムからなり、好ましくは、ポリエチレン、ポリエチレンテレフタレート、ポリプロピレン又はポリアミドからなることを特徴とする、請求項１から４までの一項に記載の方法。
【請求項６】
前記少なくとも１つのストリップ（１２；１３、１４）は、その内部に配置された補強手段を有し、好ましくは、長手方向の隆起（１８）、縁補強体（２９）、又は流体によって加圧することができる室（２２）の形態の補強手段を有することを特徴とする、請求項１から５までの一項に記載の方法。
【請求項７】
前記溶着式クロージャ（４）が２つの平行に案内されたストリップ（１３、１４）に結合されることを特徴とする、請求項１から６までの一項に記載の方法。
【請求項８】
前記溶着式クロージャ（４）は、前記溶着式クロージャ（４）に配置された案内フランジ（７）又は案内溝（８）によって、前記支持及び案内手段（９；１０）上に支持されることを特徴とする、請求項７に記載の方法。
【請求項９】
少なくとも１００個のパッケージング・バッグ（１）をそれぞれが有する複数の運搬ユニットを物流コンテナ（４２）内に層状に置き、その目的のために、前記配置装置の案内手段と前記物流コンテナ（４２）の案内手段とが、好ましくは、互いに対して動かされることを特徴とする、請求項１から８までの一項に記載の方法。
【請求項１０】
注ぎ開口（６）を備えた溶着式クロージャ（４）を有する、液体又はペースト状製品用のパッケージング・バッグ（１）を運搬するための運搬装置であって、少なくとも１つの可撓性ストリップ（１２；１３、１４）を、いくつかのパッケージング・バッグ（１）の前記溶着式クロージャ（４）に結合して運搬ユニットを形成するためのローディング装置を有する運搬装置において、
前記ローディング装置が、前記溶着式クロージャ（４）のための支持案内手段（９；１０）を有することを特徴とする、運搬装置。
【請求項１１】
前記支持案内手段が２つの平行なレール（９；１０）からなり、それらの間に前記溶着式クロージャ（４）の一部分が通るための隙間（１１）が設けられることを特徴とする、請求項１０に記載の装置。
【請求項１２】
前記ローディング装置が、前記少なくとも１つの可撓性ストリップ（１２；１３、１４）を前記溶着式クロージャ（４）に溶着するための溶着手段（２４、２５）を含むことを特徴とする、請求項１０から１１までのいずれか一項に記載の装置。
【請求項１３】
運搬ユニットを物流コンテナ内に配置するための配置装置を含み、前記配置装置は、好ましくは、前記運搬ユニットのための案内手段と、前記案内手段及び前記物流コンテナを互いに対して動かすための手段とを備えていることを特徴とする、請求項１０から１２までのいずれか一項に記載の装置。
【請求項１４】
物流コンテナ内に置かれた運搬ユニットを取り上げる取り上げ装置を含み、前記取り上げ装置は、好ましくは、前記運搬ユニットのための案内手段と、前記案内手段及び前記物流コンテナを互いに対して動かすための手段とを備えていることを特徴とする、請求項１３に記載の装置。
【請求項１５】
前記溶着式クロージャ（４）を前記少なくとも１つの可撓性ストリップ（１２；１３、１４）から分離するための分離装置を含むことを特徴とする、請求項１０から１４までのいずれか一項に記載の装置。
【発明の詳細な説明】
【技術分野】
【０００１】
本発明は、独立請求項１及び１０の前提部による方法及び装置に関する。
【背景技術】
【０００２】
パッケージング・バッグ用の運搬ユニット（ｔｒａｎｓｐｏｒｔ  ｕｎｉｔ）が当技術分野では知られており、例えば国際公開第２０１２／０２８９８０号では、バッグの生産場所からバッグへの充填場所まで運搬するために、平坦なバッグが並べられたトラックが提供される。このようなバッグは特に液体に適しており、中でもとりわけクリーム、ヨーグルト、はちみつ、フルーツジュースなどの高粘度の液体に適している。この刊行物によれば、現在のパッケージング技術は、関連するバッグが生産場所で製造され、次いで充填場所に運搬されるという前提に基づいている。したがってこの技術に関しては、生じる物流コストをできるだけ低く保つことが必須である。トラックを提供することによって、バッグは直接利用可能であるような順序及び向きで、且つ分離された状態で、充填ステーションに供給することができる。
【０００３】
国際公開第２０１２／０２８９８０号では、運搬ユニットで満たされたこのような物流コンテナが、かなりの空間の占有を伴うことが認識されている。トラック上に必要な空間は主としてバッグ材料によって決まるのではなく、溶着式クロージャ（ｗｅｌｄ−ｉｎ  ｃｌｏｓｕｒｅ）によって決まる。したがってこの参考文献では、物流コンテナ内でトラックを互いに対向するように配置して、１つのトラックのバッグと、対向するトラックのバッグとが交互に組み合わされることを提案している。このようにすると、所与の物流コンテナ内で、ほとんど２倍の数のトラックとバッグを運搬することができる。
【０００４】
トラックを使用するとかなりの複雑さとなり、そのオペレーション（操作）は部分的にしか自動化できない。したがってバッグは、トラックに載せた後、トラックを操作している間にバッグが外れて落ちないように、クリップなどによって固定しなければならない。物流コンテナは、特に前述の連結した配置の場合には手作業で積まれる。同様に、充填場所で物流コンテナからトラックを取り外し、充填設備内にトラックを入れるのは、ほとんど手作業で行われる。その後、空のトラックを生産場所に戻さなければならず、それはかなりの物流要件に関係するだけでなく、衛生問題にも関係する。
【０００５】
トラックを使用するときの自動化レベルを上げるために、最近、ロボットによって積み込み及び積み降ろしをされるかごが物流コンテナとして導入された。この方法は、複雑で高価であるだけでなく、トラックだけでなく空のかごも生産場所に戻さなければならないという問題も含む。
【０００６】
参考文献の欧州特許第０１７１５５０（Ａ１）号は、薬剤容器を扱うためのシステムを開示しており、ここでは容器群が、対応する凹部で容器のクロージャに係合する可撓性ストリップ（ｓｔｒｉｐ）によって保持される。
【先行技術文献】
【特許文献】
【０００７】
【特許文献１】国際公開第２０１２／０２８９８０号
【特許文献２】欧州特許第０１７１５５０（Ａ１）号
【発明の概要】
【発明が解決しようとする課題】
【０００８】
この従来技術を背景として、本発明の目的は、注ぎ口を備える溶着式クロージャを有する液体又はペースト状製品用パッケージング・バッグを運搬するための方法であって、生産場所と充填場所との間の運搬に対する物流労力、及び空間要件の両方をかなり低減する方法を提案することである。
【課題を解決するための手段】
【０００９】
本発明によれば、この目的は、独立請求項の特徴部分で規定された構成によって達成される。
【００１０】
この発明の解決策は、ストリップへの結合を、支持及び案内手段によって自動化することができるという利点を提供する。ストリップを適用することによって、非常に多くの数のパッケージング・バッグを接合して１つの運搬ユニットを形成することができる。
【００１１】
特定の実施例は従属請求項に示される。
【００１２】
以下、本発明の好ましい実施例の実例を図面を参照して説明するが、これらの図面は単に例示する目的のための役割を果たすものであり、限定として解釈すべきでない。図面の図は以下を表す。
【図面の簡単な説明】
【００１３】
【図１】ローディング装置の第１の例示的な実施例の図２の線Ｉ−Ｉに沿った断面図である。
【図２】図１の装置の上面図である。
【図３】ローディング装置の第２の例示的な実施例の図４の線ＩＩＩ−ＩＩＩに沿った断面図である。
【図４】図３の装置の上面図である。
【図５】定められた位置に運搬用の穿孔を有するストリップの上面図である。
【図６】図５の線ＶＩ−ＶＩに沿って切ったストリップの断面図であり、ストリップの剛性を増すためのエンボス加工部が示されている。
【図７】流体のサポートによってストリップの剛性を増すための空洞を有するストリップの上面図である。
【図８】図７の線ＶＩＩ−ＶＩＩに沿って切ったストリップの断面図である。
【図９】ローディング装置の第３の例示的な実施例の図１０の線ＩＸ−ＩＸに沿った断面図である。
【図１０】図９の装置の上面図である。
【図１１】引き裂くことによってストリップをフランジから分離するための分離装置の第１の例示的な実施例の図１２の線ＸＩ−ＸＩに沿った断面図である。
【図１２】図１１の装置の上面図である。
【図１３】分離装置の第２の例示的な実施例の図１４の線ＸＩＩＩ−ＸＩＩＩに沿った断面図である。
【図１４】図１３の装置の上面図である。
【図１５】溶着式クロージャをつかむ運搬補助具の上面図である。
【図１６】図１５の矢印ＸＶＩの方向の図である。
【図１７】パッケージング・バッグを充填するための設備、及び分離装置の第３の例示的な実施例の概略斜視図である。
【発明を実施するための形態】
【００１４】
図１は、可撓性パッケージング・バッグ１を２つの平行なストリップ１３、１４に結合するためのローディング装置（装填装置）の第１の実施例の図２の線Ｉ−Ｉの沿った断面図である。図２は、このローディング装置の上面図である。パッケージング・バッグ１は、例えば生産設備から直接供給され、したがって図示の定められた向きでローディング装置に自動的に移送することができる。図示のパッケージング・バッグ１は、溶着継ぎ目３によって接合された２枚のフィルム層２より形成され、溶着式クロージャ４が図１の上部領域のフィルム層の間に配置される。この例示的な実施例では、溶着式クロージャ４は、フィルム層２に平行に図１及び２の左及び右に延びる２つの案内フランジ７を有する。溶着式クロージャ４の頂部には、注ぎ開口６を有する注ぎ口５が一体的に形成される。後者はまた、パッケージング・バッグ１に充填するために使用することができ、その後、パッケージング・バッグ１に充填した後に図示されていないキャップで封止することができる。案内フランジ７は、平行に配置された２つの案内レール９の上に支持され、案内レール９の間には溶着式クロージャ４が通るための隙間１１があいている。案内レール９には、案内フランジ７が係合する長手方向の溝が設けられ、それによって溶着式クロージャ４が不本意に持ち上がってはずれることを防ぐ。２つの可撓性ストリップ１３、１４が案内フランジ７に結合される。
【００１５】
可撓性ストリップは、可撓性パッケージの分野で使用されている通常の合成ホイル（ｓｙｎｔｈｅｔｉｃ  ｆｏｉｌ）から構成することができるが、織物、金属、紙などの他の材料もまた考えられる。合成材料として、具体的には、ポリエチレン（ＰＥ）、ポリエチレンテレフタレート（ＰＥＴＰ）、ポリプロピレン（ＰＰ）、及びポリアミド（ＰＡ）のグループからの材料を使用することができる。ストリップ１３、１４は、溶着によって案内フランジ７に結合される場合、２つの層よりなるのが好ましく、この場合、１つの層は、案内フランジ７に溶着することができ、耐熱層である第２の層は、損傷せずに下記で説明する分離操作に耐えて、引き離されるときにストリップが破れるのを防ぐ。図１及び２による実例では、案内フランジ７をストリップ１３、１４に留める２つの異なる方式が示されているが、もちろん、このようにはおそらく実施されないであろう。実際には、両方のストリップ１３、１４はむしろ、同じ方法で案内フランジ７に結合されるであろう。材料結合の実例として、図１の左側では、ストリップ１３は、溶着又は接着によって、関係する案内フランジ７に結合されるが、図の右側では、形状結合が示されており、そこでは、案内フランジはストリップ１４を貫通する下向きに延在するノブ１５を有する。形状結合を達成するために、ノブ１５は、例えば、頭の大きなきのこ形状を有し、ストリップ１４はノブ１５を受け入れる孔を有し、その直径はノブ１５の頭の直径より小さい。ストリップ１４は、上記のように、合成材料のストリップであるので、ノブ１５の頭が通り抜けるときに前記の孔を拡げ、その後、孔が再び縮まることを確実にするのに十分な弾性を有する。
【００１６】
図３及び４はローディング装置の第２の実施例であり、この場合は、単一のストリップ１２に溶着式クロージャ４が摩擦結合される。より具体的には、図３は、図４の線ＩＩＩ−ＩＩＩに沿った断面図を示し、一方、図４は上面図である。ここでは、注ぎ口５の上からストリップ１２の対応する開口が押し込められている。これらの開口の直径は、対応する領域の溶着式クロージャ４の外径よりも小さいのが好ましく、その結果、ストリップ１２と溶着式クロージャ４との間は締まりばめとなり、より具体的には、ストリップのカラー１７が部品１２と４を材料結合させる。開口は予めストリップ１２に開けられていてもよいし、或いは、ローディング装置で生成してもよい。原理的には、開口が適切な形状であれば、圧力を加えて注ぎ口５を押して注ぎ口５自体でストリップ１２を貫通することができる。
【００１７】
この実例では、案内レール１０は、溶着式クロージャ４に形成された案内溝８内に係合する比較的薄いレールとして設計される。２つの案内溝８を両側に設ける代わりに、円周方向の案内溝を設けることができ、それは、パッケージング・バッグ１が案内レール１０の間に保持されているときに回転することができるという利点がある。図４による上面図ではまた、例えば、ある種の歯車によって、ストリップを確実に、且つ定められたステップで前方に送ることができるように、ストリップ１２には規則正しい間隔で配置された孔１６を設けることができることが分かる。
【００１８】
図５は、図３及び４によるストリップとは幾分異なる実施例を示す。この場合、図３及び４を参照して説明した孔１６は長円形である。これらは、前述のように、運搬を助けるものとして働くことができるが、例えば、溶着式クロージャ４をストリップ１２に結合するための装置の制御のために方向付けを助けるものとしても働くこともできる。孔１６に代えて、又は加えて、ストリップ１２には、ストリップの全使用期間で、ストリップの運搬、配置、剛性、又は保管を助けるエンボス加工、ノブ、リブ、又はそれを応用した構造体を設けることができる。エンボス加工の実例として、ストリップ１２の長手方向に延在する補強リブ１８が図６に描かれている。さらに、ストリップ１２は、補強された長手方向の縁２０を両側に有することができる。また、溶着式クロージャ４を受け入れるための開口１９が、例えば、十字形の切り目の形態で、図５に示されている。
【００１９】
図７は、さらなる例示的な実施例によるストリップ１２の上面図である。この実施例はまた、図７の線ＶＩＩＩ−ＶＩＩＩに沿った概略断面図を示す図８にも示されている。ここでは、溶着式クロージャ４を受け入れるために、丸い開口２１が打ち抜かれている。ストリップ１２は２層、又は管状にすることができ、ストリップ１２の剛性を増すために、その長さの少なくとも一部分を空気などの流体で加圧することができる２つの室２２を側方に有する。同じ目的で、補強ストリップ２３をさらにストリップ１２に接着又は溶着することができる。ここでもまた、図５及び６によるストリップのように、側方を補強された縁２０を設けることができる。
【００２０】
図５から８を参照して説明した方策はまた、２つの平行なストリップ１３、１４が使用される場合にも適用することができる。
【００２１】
図９は、パッケージング・バッグ１の溶着式クロージャ４を２つのストリップ１３、１４に結合する溶着ステーションとして設計されたローディング装置の第３の例示的な実施例の図１０の線ＩＸ−ＩＸに沿った断面図である。図１０は、この装置の上面図である。図１及び２の例示と同様に、溶着式クロージャ４は、この場合もまた、案内フランジ７によって案内レール９内に保持され、一方、ストリップ１３及び１４は、案内フランジ７の下方で案内レール９に乗っかっている。２つの溶着装置２４が案内レール９の下に配置され、両方向矢印２６の方向に移動可能である。各溶着装置２４は伝熱素子２５を有し、伝熱素子２５は、案内レール９の対応する開口を通って各ストリップ１３、１４まで動いて、案内フランジ７に各ストリップ１３、１４を正確に溶着することができる。パッケージング・バッグ１の保護のために、それぞれ防熱スカート２７がパッケージング・バッグ１と溶着装置２４との間に配置される。同時に、スカートは、パッケージング・バッグ１のフィルム層を図１０の参照符号１によって示されるような位置に偏らせ、したがって、案内フランジ７の下に溶着作業を行う余地を作る働きをすることができる。
【００２２】
パッケージング・バッグ１をストリップ１２、又はストリップ１３、１４それぞれに結合した後、このように形成された運搬ユニットはさらにローディング装置の外へ運搬され、保管のために物流コンテナ内に置かれてさらに充填設備に運搬されるか、又は充填設備に直接移送される。物流コンテナ内の配置は、より具体的には、パッケージング・バッグ１が鱗状（ｓｃａｌｅ−ｌｉｋｅ  ｍａｎｎｅｒ）に置かれ、したがって物流コンテナの内側には最小限の体積しか取らないように、対応する配置装置によって自動的に実行されるのが好ましい。このために、配置装置は、ストリップ１２、又はストリップ１３、１４それぞれのためのコンベヤ及び／又は案内手段をそれぞれ備えることができ、これらの手段及び物流コンテナは互いに対して移動可能である。このようにすると、パッケージング・バッグがトラックに受け入れられるという導入部で言及した方法の約２倍のパッケージング・バッグ１が物流コンテナ内に収められることが試験によって分かった。出願人が行った試験では、最大数万個のパッケージング・バッグの運搬ユニットが形成された。層状に配置することによって、ストリップ１２、又はストリップ１３、１４の端部は最終的には、一杯になった物流コンテナの頂部に位置する。上記の配置方法を使用すると、物流コンテナの形状はほとんどいかなる所望の形状でもよい。したがって、今まで使用されている立方体のコンテナだけでなく、例えば、丸いコンテナ、又は袋でさえも使用することができる。
【００２３】
目的地で運搬ユニットを降ろすために必要なことは、最後に置かれたストリップ１２、又はストリップ１３、１４それぞれの端部をつかみ、例えば、荷降し装置に送ることだけであり、運搬ユニットは、荷降し装置から、例えば、充填設備へ運搬される。荷降し装置はまた、コンベヤ及び／又は案内手段を備えることができ、これらの手段及び物流コンテナはおそらく、ここでもまた互いに移動可能である。
【００２４】
ストリップ１２、又はストリップ１３、１４それぞれに結合されたパッケージング・バッグ１がさらなる処理ステップ、例えば、充填設備に直接進む場合、人の介在を必要としないように、パッケージング・バッグ１は定められた向きで、且つ一定の間隔でそこに到達することが有利である。運搬を、例えば、衛生上の要件を満たすために筒又はトンネル内で行っている間、上記のさらなる処理ステップは、異なる空間で実行することができる。
【００２５】
図１１及び１２は、ストリップ１３、１４を案内フランジ７から分離する分離装置の第１の例示的な実施例を示し、図１２は上面図であり、図１１は図１２の線ＸＩ−ＸＩに沿った断面図である。ここでもまた、上記の装填ステーションのように、２つの平行な案内レール９が設けられ、その上を溶着式クロージャ４の案内フランジ７が滑ることができるように案内且つ支持される。図１１にはストリップ１３、１４のうちのストリップ１４しかが見えないが、ストリップ１３、１４は案内レール９のスロット３０を通るように導かれ、矢印３２の方向に離れるように案内される。図の左側の溶着式クロージャはこのように矢印２９の方向に向かい、ストリップ１３、１４は比較的鋭い縁３１の周りで偏向され、それによって、案内フランジ７とストリップ１３、１４との間の点溶着結合部が引き離される。
【００２６】
図１３及び１４は、ストリップ１３、１４を案内フランジ７から分離する分離装置の第２の例示的な実施例を示し、図１４は上面図であり、図１３は図１４の線ＸＩＩＩ−ＸＩＩＩに沿った断面図である。この実施例による設計は、図１１及び１２を参照して前に説明した実施例と非常によく似ている。したがって、同一の参照符号で示した同一の部品を再び説明することはしない。この実施例でもまた、各案内レール９はそれぞれスロット３６を有し、ストリップ１３、１４はスロット３６を通って矢印３７の方向に案内されるが、図１１に示すようには鋭くは偏向されない。穿孔具３３が案内ブッシュ３５内に配置され、両方向矢印３４の方向に上下に動くことができる。案内フランジ７の点溶着接合部（ｐｕｎｃｔｕａｌ  ｗｅｌｄ  ｊｏｉｎｔ）はそれによって、図１３の右側に示すように、案内フランジ７にストリップ１３、１４の残留部分３８が留まるように打ち抜かれる。
【００２７】
図１５及び１６は運搬補助具の例示的な実施例を示し、図１５は上面図であり、図１６は図１５の矢印ＸＶＩの方向の図である。具体的には、このような運搬補助具は、パッケージング・バッグ１がストリップ１２、１３、１４によって前方に送られるときにこれらのストリップを除去する働きをする。しかしながら、それはまた、ストリップ１２、又はストリップ１３、１４それぞれに結合される前に、パッケージング・バッグ１を定められた間隔で、且つ定められた向きで前方に送るために装填ステーションにおいても使用することができる。パッケージング・バッグ１の注ぎ口５は、つかみ具（グリッパ）３９によってつかまれ、それから運搬要素４０上に配置され、結合される。運搬要素は、可撓性バンドのコンベヤ、又は板状の物体とすることができ、それらはチェーンのように、さらに類似の運搬要素に結合される。リセス４１は、溶着式クロージャ４が部分的に通るために設けられる。
【００２８】
図１７は、パッケージング・バッグ１に充填するための設備、及びパッケージング・バッグ１をストリップ１２から分離するための分離装置さらなる実施例の概略斜視の図を同時に示している。ストリップ１２、及びパッケージング・バッグ１をストリップ１２に結合する様式は、図３及び４を参照して上記で説明した。ストリップ１２、及びストリップ１２に結合されたパッケージング・バッグ１より形成された運搬ユニットは物流コンテナ４２内に置かれており、この運搬ユニットを降ろすために、最後に置かれたその端部が最初に取り出されて、その動きを一対のコンベヤローラ４３が助けることができるその設備に案内される。図では漏斗によって象徴的に示された充填装置４４によって、パッケージング・バッグ１に液体またペースト状の内容物が充填される。ここで、本発明の別の実質的な利点が明らかになる。すなわち、溶着式クロージャ４をストリップ１２、又はストリップ１３、１４それぞれに結合することによって、溶着式クロージャ４の開口が自由にアクセス可能であり、したがって、衛生的な様式でその下方のパッケージング・バッグ１に直接充填することができる。それに続いて、充填されたパッケージング・バッグ１は支持レール２８に送られ、支持レール２８上に置かれてそれらの案内フランジ７とともに滑って行く。ストリップ１２は、偏向ローラ４６によって上向きに偏向され、それによって、溶着式クロージャから分離され、リール４５に巻きつけられる。次に、支持レール２８上のパッケージング・バッグ１は、図示されていないが、例えば、ねじキャップ又はスナップオンキャップの形態のキャップによって閉じることができる。これは、パッケージング・バッグ１を１つ又は複数のストリップそれぞれから分離する前か、又は後で行うことができる。また、パッケージング・バッグ１の安全試験、重量チェック、光学式外観検査などもこの段階で実行することができる。
【００２９】
さらに、パッケージング・バッグ１をストリップ１２、又はストリップ１３、１４それぞれに結合することは、充填されたパッケージング・バッグのエンドユーザへの物流のために用いることができる。したがって、例えば、これに対応して備えられた自動装置は、要求に応じて特定のパッケージング・バッグを分離することができる。さらに、例えば、同じ又は異なる内容物を有する複数のパッケージング・バッグ１を有するマルチパックを準備することができる。この場合、ストリップ１２、又はストリップ１３、１４それぞれを、マルチパックに着色デザイン及び／又は印刷によって印をつけるために使用することができる。
【００３０】
例示的な実施例は本発明で具現化できるものを示すが、本発明は示された特定の実施例に限定されるものではないという点で留意すべきである。その代わり、特定の実施例を参照して説明した個々の構成部品は、例えば、別の実施例で使用することができ、その実施例を参照して説明した対応する構成部品に置き換わることもおそらく可能である。したがって、図示し、説明した実施例の変形の個々の詳細を組み合わせて生じるすべての考えられる実施例の変形もまた保護の範囲に含まれる。
【００３１】
最後に、形式上のこととして、説明する構成部品の構造をより良く理解するために、これらは概略的に示され、原寸に比例していないことを指摘しておかねばならない。
【符号の説明】
【００３２】
１  パッケージング・バッグ
２  フィルム層
３  溶着継ぎ目
４  溶着式クロージャ
５  注ぎ口
６  注ぎ開口
７  案内フランジ
８  案内溝
９  案内レール
１０  案内レール
１１  隙間
１２  ストリップ
１３  ストリップ
１４  ストリップ
１５  ノブ
１６  孔
１７  カラー
１８  補強リブ
１９  開口
２０  縁
２１  開口
２２  室
２３  補強ストリップ
２４  溶着装置
２５  伝熱素子
２６  両方向矢印
２７  防熱スカート
２８  支持レール
２９  矢印
３０  スロット
３１  縁
３２  矢印
３３  穿孔具
３４  両方向矢印
３５  案内ブッシュ
３６  スロット
３７  矢印
３８  残りの部分
３９  つかみ具
４０  運搬要素
４１  リセス
４２  物流コンテナ
４３  送りローラの対
４４  充填装置
４５  リール
４６  偏向ローラ
【図１】
2017519696.tif 000003
【図２】
2017519696.tif 000004
【図３】
2017519696.tif 000005
【図４】
2017519696.tif 000006
【図５】
2017519696.tif 000007
【図６】
2017519696.tif 000008
【図７】
2017519696.tif 000009
【図８】
2017519696.tif 000010
【図９】
2017519696.tif 000011
【図１０】
2017519696.tif 000012
【図１１】
2017519696.tif 000013
【図１２】
2017519696.tif 000014
【図１３】
2017519696.tif 000015
【図１４】
2017519696.tif 000016
【図１５】
2017519696.tif 000017
【図１６】
2017519696.tif 000018
【図１７】
2017519696.tif 000019
【国際調査報告】
2017519696.tif 000020
2017519696.tif 000021
2017519696.tif 000022